(57)【特許請求の範囲】
【請求項１】
堅牢な構造のキャビネットと、
ＭＤＦを経由した電話回線ならびにインターネット接続用専用線が接続される入出力回線管理・切替え手段と、
該キャビネット内部に配設された回線制御手段と、
を備える複合通信制御管理ボックスと；ならびに
利用部位毎に設置され、かつ前記複合通信制御管理ボックスと接続され、所要形式の通信機器類ならびにインターネット端末に信号を分配するための信号分離アダプタを主体とする子機群と；
からなり、各種通信機能を複合的に分配・制御することを特徴とする複合通信制御管理システム。
【請求項２】
前記電話回線用ＭＤＦを前記キャビネット内に配設可能に構成したことを特徴とする、請求項１に記載の複合通信制御管理システム。
【請求項３】
前記電話回線ならびにインターネット接続用専用線が接続される入出力回線管理・切替え手段は、標準設備を所要数組合せた入出力回線管理・切替え基板を内蔵する回路素子ユニットとして構成され、該回路素子ユニットの搭載数の増減により利用者数の増減に対応可能であることを特徴とする、請求項１または２のいずれかに記載の複合通信制御管理システム。
【請求項４】
前記キャビネット内には、さらに各種装置類の発熱を排出するための排熱用ファン、ルーター、キャビネット扉を開閉した際の状況を記録する小形カメラおよび作動制御用ドアスイッチ、カメラサーバ等の１またはそれ以上の要素を収蔵せしめたことを特徴とする、請求項１〜３のいずれかに記載の複合通信制御管理システム。
【発明の詳細な説明】
【０００１】
【発明の属する技術分野】
本発明は、アパート、マンション、寮等の各種集合住宅、ビジネスホテル、事務所、学校等、およびバス・航空機・船舶等の各種乗物等移動体の電話、テレビ電話、インターネット通信等を総合的に制御する機能を備えた複合通信制御管理システムに関する。
【０００２】
【従来の技術】
従来、各種集合住宅、ビジネスホテル、事務所、学校等における電話およびＦＡＸは、一般電気通信事業者電話局からのメタリック（金属導体）ケーブルを建屋内のＭＤＦ（主配線盤）まで引き込み、その後交換機を通しまたは直接に各戸に至る個別配線によって利用するように構成されていた。
【０００３】
また、一部には従来のアナログ方式における情報処理の限界を打破するために、ディジタル方式による多重化、高速化を図った統合ディジタル通信網（ＩＳＤＮ）回線の普及も進み、光ケーブルを利用しているが、基本的に交換局対利用者個人間に回線を形成し、発信者・受信者間の情報伝達を行っている。また、移動体に対しては一部無線設備を介して同様の回線を利用している。
【０００４】
このような電話の他に、静止画テレビ、ビデオテックス、テレライティング装置等も開発されているが、利用態様は従来の電話と同様に、発信者と受信者とを公衆回線および交換網を介して１対１の送受信者となるように接続し、両者間で情報の授受を行うものである。したがって、各回線はそれぞれ個別に形成されなければならない。
【０００５】
また、近年インターネットが急速に発達し、世界中の情報が個人レベルで瞬時に検索・収集可能になり、このようなインターネット情報による新たな産業革命が進行中であるというような事態に至っている。このように利用価値の極めて大きいインターネットではあるが、各個でインターネットを利用しようとすると、個別にいずれかのプロバイダーと契約を行い、このプロバイダーを経由してインターネットと接続をしなければならない。
【０００６】
このようなインターネットの接続形態は、個々の利用者がプロバイダーを介在せしめる結果、使用料が高額となるうえ、プロバイダーにおける同時アクセス可能な回線も有限であるため、利用したい時間にビジーとなって接続待機を余儀なくさせられる事態も発生しがちである。
【０００７】
【発明が解決しようとする課題】
本発明は、上述のような従来技術の欠点を解消して、一般電気通信事業者からの電話回線ならびにインターネット用高速専用線の入出力回線管理・切替え手段を内蔵せしめた複合通信制御管理システムを提供することを課題とする。
【０００８】
【課題を解決するための手段】
本発明の課題は、図１に示すように、堅牢な構造のキャビネット１と、該キャビネット外部に配設されたＭＤＦを経由した電話回線ならびにインターネット接続用専用線が接続される入出力回線管理・切替え手段２と、該キャビネット内部に配設された回線制御手段３と、を備える複合通信制御管理ボックス１０と；ならびに利用部位毎に設置され、かつ前記複合通信制御管理ボックス１０と接続され、所要形式の通信機器類ならびにインターネット端末に信号を分配するための信号分離アダプタを主体とする子機群２０と；からなり、各種通信機能を複合的に分配・制御する複合通信制御管理システムによって解決される。なお、前記通常の電話回線用ＭＤＦは、キャビネット１に内蔵せしめるように構成することができる。
【０００９】
本発明にかかる前記電話回線ならびにインターネット接続用専用線が接続される入出力回線管理・切替え手段２は、標準設備を所要単位数備えた入出力回線管理・切替え基板を内蔵する回路素子ユニット２Ｕとして構成され、該回路素子ユニットの搭載数の増減により利用者数の増減に対応することが可能である。
【００１０】
本発明における前記キャビネット１内には、さらに各種装置類の発熱を排出するための排熱用ファン４、ルーター５、キャビネット扉を開閉した際の状況を記録する小形カメラ６および作動制御用ドアスイッチ７、カメラサーバ８等を収蔵せしめることができる（図２参照）。
【００１１】
本発明にかかる複合通信制御管理ボックス１０は、利用者各個に装備される子機群２０としてのアダプタ装置２０Ａ、２０Ｂ、・・・の信号入力部２１に対して２心ケーブル、同軸ケーブル等により接続され、該子機群のアダプタ装置に設けられた第１の信号出力部２２、第２の信号出力部２３の各種形式のコネクタ等により電話、ＦＡＸ等の各種通信機器ならびにインターネット用端末装置等が接続される。なお、この入出力回線管理・切替え手段２には、電話回線、インターネット接続用専用線の他、ＣＡＴＶ、ＢＳ・ＣＳ等のケーブル類を含めることも可能である。
【００１２】
本発明にかかる複合通信制御管理システムのための複合通信制御管理ボックス１０は、例えば各種集合住宅、ビジネスホテル、事務所、学校等の回線類引き込み口と各利用点への個別配線に便宜な部位に取り付けられる。また、航空機・船舶等の各種乗物等移動体に利用される場合にあっては、各種電波を発信するアンテナおよびまたは人工衛星から送信される電波を受信するアンテナからの信号を受け、復調・増幅・Ａ／Ｄ変換・音響増幅等の処理を経て各座席付近に送信し易い部位に配設される。
【００１３】
キャビネット１正面の扉には施錠手段が付加されており、設備管理上正当な権限を有する管理者でなければ開放できないように構成される。故意による盗聴や妨害を回避し、さらには過失等により破損や損傷を被る事態を回避しようとするものである。
【００１４】
複合通信制御管理ボックス１０に組み込まれている入出力回線管理・切替え手段２は、ＭＤＦを経て接続される電話回線については、各利用者に固有の番号に従って配線されている回線を経て対応する子機群２０Ａ、２０Ｂ等に至り、モジュラージャックから個々の通信機器に至り、利用者個々別に呼び出し並びに発信・受信が行われる。当然ながら、多重変換が行われているため、他回線との混信や電話線以外の専用線等の信号からの妨害等は受けないように処理されている。
【００１５】
インターネットに直接接続される高速専用線、例えばＯＣＮが、入出力回線管理・切替え手段２に接続され、したがって本システムはインターネットサービスプロバイダーに常時接続される。その結果、各子機群としての信号分離アダプタ２０Ａ、２０Ｂ等は、このプロバイダーに常時接続された回路を介してインターネットに直接接続されることになる。したがって、各利用者個人は、パーソナルコンピュータその他のインターネット端末に関する簡単な初期設定を行うのみで直ちにインターネットの利用が可能となる。
【００１６】
入出力回線管理・切替え手段２ならびに回線制御手段３は、このように多種類の機能を包含するものであるが、それぞれ良く知られている電子回路技術を援用することにより構成可能であるため、詳述はしない。この入出力回線管理・切替え手段２を構成する回路素子ユニットは、前述のように８回線分、１２回線分、１６回線分等のように複数の標準ユニットが用意されていて、当該現場における総利用者数に合わせて適宜ユニット数組み合わせて搭載し、所要利用回線数の装置とすることができる。
【００１７】
なお、この入出力回線管理・切替え手段２を構成する回路回路素子ユニット用取り付けケース２Ｃは、キャビネット１の背板１Ｂに対して永久磁石２Ｍと取り付け舌片２Ｔとの連携により簡単に取付けおよび取外しが容易であるように構成することが望ましい。
【００１８】
キャビネット正面の扉１Ｄを開閉した際の状況を記録する小形カメラ６は、好ましくは電子カメラまたはビデオカメラであり、該カメラ作動制御用ドアスイッチ７がドア開放に応じて作動して起動され、扉開放の状況、開放者の顔、使用していた工具、開放後の行為等を適宜間隔で撮像およびまたは録音する。なお、現場でのメモリ記憶は、事後的に破壊もしくは持ち去られる危険があるため、撮像と同時に遠方の監視ステーション等に送信して現場・センターでの重複記録あるいは遠方のセンターのみの記録を行うように構成することが望ましい。
【００１９】
【発明の実施の形態】
次に、本発明の実施の形態について添付図を参照しつつ開示する。図１に示すように、本発明にかかる複合通信制御管理システムは、堅牢なキャビネット１内に収蔵された、入出力回線管理・切替え手段２と、回線制御手段３と、を有する複合通信制御管理ボックス１０と、利用部位毎に設置され、かつ前記複合通信制御管理ボックス１０と接続され、所要形式の通信機器類ならびにインターネット端末に信号を分配するための信号分離アダプタを主体とする子機群２０と、により構成されている。図２は本発明にかかる複合通信制御管理システムの主要装置である複合通信制御管理ボックス１０の好適な実施例を示すもので、図１と同一の要素には同一の参照符号をもって図示している。
【００２０】
図１におけるキャビネット１は、耐久性を考慮して縦横の四周及び図では部分破断状態の破線で示されているキャビネットの正面扉１Ｄはステンレススチールとし、背板１Ｂは永久磁石が吸着し得る材質の金属板によって構成している。キャビネット正面扉１Ｄは、内部構造に対して故意または過失により被る可能性のある盗聴、妨害、破壊、損傷等の不正行為を防止するために厳重に施錠可能である。なお、施錠手段が不当に解錠されたことをセンサーによって検出した信号を、図示されていない監視センターに対してアラーム信号を伝送するように構成することも可能である。
【００２１】
ＭＤＦの入力側は、外部からの一般公衆回線が接続され、その出力側はキャビネット１内の入出力回線管理・切替え手段２に接続される。この入出力回線管理・切替え手段２には、さらにインターネット用の高速専用線その他ＣＡＴＶ、ＢＳ／ＣＳ等の信号を入力するケーブルが接続される。
【００２２】
入出力回線管理・切替え手段２は、電話／ＦＡＸ等のような通信機器の一般公衆回線を各利用者の番号毎に振り分け、各利用者側個別引き込み線に分配する機能を有する。また、回線制御手段３は、収容回線数ならびに接続子機数が多数に及ぶ場合に、回線の切替え制御を円滑に行うものである。なお、インターネットに接続するための手続きや課金に関しては、本発明にかかる複合通信制御管理システムの１設備当たり通常の手続きが必要となるが、各子機を介してインターネット常時接続環境が形成され、個々の利用者は等分された利用料金で常時接続サービスを享受し得る。
【００２３】
他方、このインターネットとの接続のユーザー側端は、図１に示したように、子機である信号分離アダプタ２０Ａ、２０Ｂ、毎の固有コードに応じてルーター５を介して各利用者側個別引き込み線に多重化せしめられ、所要信号の送受信が行われる。したがって、各利用者は、本発明にかかる複合通信制御管理ボックスに引き込まれているプロバイダーからの回線に接続されているため、インターネットに対し常時接続環境が形成されている。
【００２４】
また、インターネット利用にあたっての複雑な手続きや設定も不要となり、さらに利用の都度、ダイヤルアップ・接続・認証等の手続きが不要となる。したがって、迅速かつ低廉な利用料金で、必要なときに必要なだけのインターネット利用を可能にする。
【００２５】
排気ファン４は、内蔵機器や回路素子ユニット、その他からの発熱を排出するものであり、キャビネット側面、背面等に設けられた換気開口（図示していない）から吸気し、キャビネット内部を冷却する。なお、この排気ファン４の運転を制御するために、温度計９を配設することができる。
【００２６】
カメラ６は、電子カメラまたは小形ビデオカメラで、例えばキャビネット扉１Ｄが開放された際に作動するドアスイッチ７によって自動的に作動開始し、扉開放時の状況、例えば、開放者の人相・動作、服装、所持工具、背景等を撮像して記録しおよびまたは監視センターに送信する。このようなカメラ６は、例えば不法に解錠されて装置の破壊、盗聴手段の設置、不当改造等が行われる事態を監視しようとするものである。
【００２７】
カメラサーバ８は、内蔵しているカメラ６の撮像信号およびまたは音響信号を監視センターに伝送する機能を有するが、この他に複数の外部取り付け監視カメラを所要箇所、例えば玄関、エレベータホール、エレベータ内部、ポストステーション、非常階段、ゴミ集積所等に設置しておき、これら信号を統合して監視センターに伝送・記録して防犯、規則違反者・不審者の監視等集合住宅等におけるセキュリティー向上等に資するように構成することができる。また、外部取り付け監視カメラをビルの屋上等に設置して、当該集合住宅の周囲の環境等の不動産情報としても利用することができる。
【００２８】
なお、このキャビネット１内に収蔵される各種回路・装置類を作動せしめる電源、電源スイッチ、機器増設または点検時に使用するコンセント類については明記していないが、通例にしたがって設置可能である。なお、本発明においては、管理センターまたは管理者等が外部または遠方から電源のオンオフ操作が可能な遠隔電源制御装置ＲＳを設けることができる。このような遠隔電源制御装置ＲＳは、何らかの外来ノイズ等の影響によりシステムがフリーズしたような場合にリセットして再起動を可能にする。
【００２９】
図３は、本発明にかかるシステムの複合通信制御管理ボックスにおいて、主要装置である入出力回線管理・切替え手段２の取り付け態様例を示すものである。キャビネット１の背面１Ｂには、図下方に示すユニット取り付けケース２Ｃを簡易に取り付けるためにケース２Ｃの舌片２Ｔの差し込み部１Ｉとケース側に設けられた永久磁石２Ｍを吸着固定する磁石吸着部１Ｍが配設されている。ケース２Ｃを取り付けるには、ケース左奥の舌片２Ｔを背面１Ｂの差し込み部１Ｉに差し込んだ後ケース右奥端に予め固定されている永久磁石２Ｍを磁石吸着部１Ｍに吸着させればよい。
【００３０】
回路基板および所要回路要素によって形成される回路素子ユニット２Ｕは、図下方に示した取り付けケース２Ｃの差し込みコネクタを利用して水平または垂直に所要個数装着された後、差し込み部１Ｉと磁石吸着部１Ｍによって簡易に装着される。なお、回路素子ユニット２Ｕを取り付けケース２Ｃに装着する際に縦配置とするか横配置とするかは任意に選択可能である。さらに、このような簡易固定手段に加えて、長期にわたり振動を受けたり地震による振動により外れる事態を回避するために、図示していないビス止めなどの適宜手段を併用することが望ましい。
【００３１】
本発明にかかる複合通信制御管理システムにおける子機である信号分離アダプタ２０Ａ、２０Ｂ等には、図４に示すように、少なくとも以下のような入出力部、モジュラージャックまたは同軸ケーブル用メス形コネクタのような信号入力部２１と、電話、ＦＡＸに代表される通信機器を接続するためのモジュラージャックのような第１の出力部２２と、インターネット端末としてのコンピュータ類を接続するためのコネクタのような第２の出力部２３とが設けられる。なお、必要に応じてそれぞれの口数を増加し、さらには他種のコネクタ、ジャック類による出力部を設けることができる。
【００３２】
【発明の効果】
本発明にかかる複合通信制御管理システムによれば、アパート、マンション、寮等の各種集合住宅、ビジネスホテル、事務所、学校等の電話、テレビ電話、インターネット通信等を総合的に制御することができる。このシステムを構成する主要設備である複合通信制御管理ボックスは、従来の電話用配線接続盤等よりも小形で通常は厳重に鎖錠可能であるため、設置場所は管理人室や専用の機器類設置室等に限定されず任意である。例えば、玄関ホール、廊下等共用スペースを始め適宜部位の壁、天井等任意の空間に設置可能である。
【００３３】
さらに、本発明にかかる複合通信制御管理システムによれば、子機である信号分離アダプタを備えたそれぞれの利用者は、通常の電話、ＦＡＸ等の通信機器はもとより、インターネット常時接続環境が得られ、その初期設定も容易である上、通常接続時のダイヤルアップ、接続、認証等の手続きが不要となり、迅速かつ確実なインターネット利用が可能となる。
【００３４】
また、カメラサーバに複数の監視カメラを所要箇所、例えば玄関、エレベータホール、エレベータ内部、ポストステーション、非常階段、ゴミ集積所等に設置しておき、これら信号を統合して監視センターに伝送・記録して防犯、規則違反者や不審者の監視等が可能となり集合住宅等のセキュリティー向上等に資することができる。
【００３５】
なお、本発明にかかる複合通信制御管理システムをバス・航空機・船舶等の各種乗物等移動体自体に適用すれば、移動体に搭載した主アンテナによって地上アンテナまたは人工衛星の発する信号を受信することによりインターネットその他の通信系と接続され、利用者の携帯端末は不要ないしは危険な電磁波発生等のおそれもなく安全確実な情報の送受信が可能となる。
【図面の簡単な説明】
【図１】本発明にかかる複合通信制御管理システムの基本構成例を示すブロック図である。
【図２】本発明にかかる複合通信制御管理システムの主要設備である複合通信制御管理ボックスの具体的構成例を示す斜視図である。
【図３】本発明にかかる複合通信制御管理ボックスの主要部の組み立て状態を示す正面図である。
【図４】本発明にかかる複合通信制御管理システムの利用者側子機である信号分離アダプタの構成例を示す図である。
【符号の説明】
１    キャビネット
１Ｄ  キャビネット扉
１Ｉ  差し込み部
１Ｂ  背面（背板）
１Ｍ  磁石吸着部
２    入出力回線管理・切替え手段（入出力回線管理・切替え装置）
２Ｃ  ユニット取り付けケース
２Ｕ  回路素子ユニット
２Ｔ  舌片
２Ｍ  永久磁石
３    回線制御手段（回線制御装置）
４    排気ファン
５    ルーター
６    カメラ
７    ドアスイッチ
８    カメラサーバー
１０    複合通信制御・管理ボックス
２０Ａ、２０Ｂ、・・・子機（信号分離アダプタ）群
２１    信号入力部
２２    第１の信号出力部（モジュラージャック）
２３    第２の信号出力部（インターネット端末用コネクタ）
ＲＳ    遠隔電源制御装置
【図１】
0004139048.tif 000002
【図２】
0004139048.tif 000003
【図３】
0004139048.tif 000004
【図４】
0004139048.tif 000005